(57)【特許請求の範囲】
【請求項１】
複数の領域が設定されたシートにインクを吐出する画像形成部と、
前記シートを湾曲させる湾曲部と、
前記シートの湾曲量を変更する変更部と、
前記シートに対する前記インクの吐出量を、前記領域毎に算出する第１算出部と、
前記シートの所定領域に対する前記インクの吐出量に対応する、前記所定領域の第１目標湾曲量を示す湾曲情報を記憶する記憶部と、
前記第１算出部が前記領域毎に算出した前記インクの吐出量の各々と前記湾曲情報とに基づいて、前記複数の領域の各々の第２目標湾曲量を算出する第２算出部と、
複数の前記第２目標湾曲量に基づいて、前記変更部を制御する制御部と
を備え、
前記複数の領域は、第１領域と、第２領域と、第３領域と、第４領域と、第５領域と、第６領域とを含み、
前記第１領域は、前記シートの画像形成可能領域の複数の隅部のうち、前記シートの搬送方向の最上流に位置すると共に、前記シートの幅方向の一側に位置する領域を示し、
前記幅方向は、前記搬送方向に対し垂直な方向を示し、
前記第２領域は、前記複数の隅部のうち、前記搬送方向の最上流に位置すると共に、前記幅方向の他側に位置する領域を示し、
前記第３領域は、前記複数の隅部のうち、前記搬送方向の最下流に位置すると共に、前記幅方向の一側に位置する領域を示し、
前記第４領域は、前記複数の隅部のうち、前記搬送方向の最下流に位置すると共に、前記幅方向の他側に位置する領域を示し、
前記第５領域は、前記画像形成可能領域のうち、前記搬送方向の最上流の縁部に沿った領域を示し、
前記第６領域は、前記画像形成可能領域のうち、前記搬送方向の最下流の縁部に沿った領域を示す、インクジェット記録装置。
【請求項２】
複数の領域が設定されたシートにインクを吐出する画像形成部と、
前記シートを湾曲させる湾曲部と、
前記シートの湾曲量を変更する変更部と、
前記シートに対する前記インクの吐出量を、前記領域毎に算出する第１算出部と、
前記シートの所定領域に対する前記インクの吐出量に対応する、前記所定領域の第１目標湾曲量を示す湾曲情報を記憶する記憶部と、
前記第１算出部が前記領域毎に算出した前記インクの吐出量の各々と前記湾曲情報とに基づいて、前記複数の領域の各々の第２目標湾曲量を算出する第２算出部と、
複数の前記第２目標湾曲量に基づいて、前記変更部を制御する制御部と
を備え、
前記複数の領域は、第１領域と、第２領域と、第３領域と、第４領域と、第７領域と、第８領域とを含み、
前記第１領域は、前記シートの画像形成可能領域の複数の隅部のうち、前記シートの搬送方向の最上流に位置すると共に、前記シートの幅方向の一側に位置する領域を示し、
前記幅方向は、前記搬送方向に対し垂直な方向を示し、
前記第２領域は、前記複数の隅部のうち、前記搬送方向の最上流に位置すると共に、前記幅方向の他側に位置する領域を示し、
前記第３領域は、前記複数の隅部のうち、前記搬送方向の最下流に位置すると共に、前記幅方向の一側に位置する領域を示し、
前記第４領域は、前記複数の隅部のうち、前記搬送方向の最下流に位置すると共に、前記幅方向の他側に位置する領域を示し、
前記第７領域は、前記画像形成可能領域のうち、前記幅方向の一側の縁部に沿った領域を示し、
前記第８領域は、前記画像形成可能領域のうち、前記幅方向の他側の縁部に沿った領域を示す、インクジェット記録装置。
【請求項３】
複数の領域が設定されたシートにインクを吐出する画像形成部と、
前記シートを湾曲させる湾曲部と、
前記シートの湾曲量を変更する変更部と、
前記シートに対する前記インクの吐出量を、前記領域毎に算出する第１算出部と、
前記シートの所定領域に対する前記インクの吐出量に対応する、前記所定領域の第１目標湾曲量を示す湾曲情報を記憶する記憶部と、
前記第１算出部が前記領域毎に算出した前記インクの吐出量の各々と前記湾曲情報とに基づいて、前記複数の領域の各々の第２目標湾曲量を算出する第２算出部と、
複数の前記第２目標湾曲量に基づいて、前記変更部を制御する制御部と
を備え、
前記複数の領域は、第１領域と、第２領域と、第５領域とを含み、
前記第１領域は、前記シートの画像形成可能領域の複数の隅部のうち、前記シートの搬送方向の最上流に位置すると共に、前記シートの幅方向の一側に位置する領域を示し、
前記幅方向は、前記搬送方向に対し垂直な方向を示し、
前記第２領域は、前記複数の隅部のうち、前記搬送方向の最上流に位置すると共に、前記幅方向の他側に位置する領域を示し、
前記第５領域は、前記画像形成可能領域のうち、前記搬送方向の最上流の縁部に沿った領域を示す、インクジェット記録装置。
【請求項４】
複数の領域が設定されたシートにインクを吐出する画像形成部と、
前記シートを湾曲させる湾曲部と、
前記シートの湾曲量を変更する変更部と、
前記シートに対する前記インクの吐出量を、前記領域毎に算出する第１算出部と、
前記シートの所定領域に対する前記インクの吐出量に対応する、前記所定領域の第１目標湾曲量を示す湾曲情報を記憶する記憶部と、
前記第１算出部が前記領域毎に算出した前記インクの吐出量の各々と前記湾曲情報とに基づいて、前記複数の領域の各々の第２目標湾曲量を算出する第２算出部と、
複数の前記第２目標湾曲量に基づいて、前記変更部を制御する制御部と
を備え、
前記複数の領域は、第１領域と、第２領域と、第３領域と、第４領域と、第５領域と、第６領域と、第７領域と、第８領域とを含み、
前記第１領域は、前記シートの画像形成可能領域の複数の隅部のうち、前記シートの搬送方向の最上流に位置すると共に、前記シートの幅方向の一側に位置する領域を示し、
前記幅方向は、前記搬送方向に対し垂直な方向を示し、
前記第２領域は、前記複数の隅部のうち、前記搬送方向の最上流に位置すると共に、前記幅方向の他側に位置する領域を示し、
前記第３領域は、前記複数の隅部のうち、前記搬送方向の最下流に位置すると共に、前記幅方向の一側に位置する領域を示し、
前記第４領域は、前記複数の隅部のうち、前記搬送方向の最下流に位置すると共に、前記幅方向の他側に位置する領域を示し、
前記第５領域は、前記画像形成可能領域のうち、前記搬送方向の最上流の縁部に沿った領域を示し、
前記第６領域は、前記画像形成可能領域のうち、前記搬送方向の最下流の縁部に沿った領域を示し、
前記第７領域は、前記画像形成可能領域のうち、前記幅方向の一側の縁部に沿った領域を示し、
前記第８領域は、前記画像形成可能領域のうち、前記幅方向の他側の縁部に沿った領域を示す、インクジェット記録装置。
【請求項５】
前記複数の第２目標湾曲量に基づいて、前記シートの第３目標湾曲量を決定する決定部をさらに備え、
前記湾曲部が前記シートを前記第３目標湾曲量で湾曲させるように、前記制御部が前記変更部を制御する、請求項１から請求項４のいずれか１項に記載のインクジェット記録装置。
【請求項６】
前記決定部は、前記複数の第２目標湾曲量のうち、最大の第２目標湾曲量を前記第３目標湾曲量として決定する、請求項５に記載のインクジェット記録装置。
【請求項７】
前記複数の領域は、第９領域を含み、
前記第９領域は、前記画像形成可能領域の全域を示す、請求項１から請求項６のいずれか１項に記載のインクジェット記録装置。
【請求項８】
前記湾曲情報は、前記シートの坪量の所定範囲毎に、前記所定領域に対する前記インクの吐出量に対応する、前記所定領域の第１目標湾曲量を示す、請求項１から請求項７のいずれか１項に記載のインクジェット記録装置。
【請求項９】
前記湾曲情報は、前記シートの種類毎に設けられる、請求項１から請求項８のいずれか１項に記載のインクジェット記録装置。
【発明の詳細な説明】
【技術分野】
【０００１】
本発明は、インクジェット記録装置に関する。
【背景技術】
【０００２】
特許文献１に記載のインクジェット記録装置は、用紙の第１面に印刷を行う。そして、第１面に印刷する画像に関する画像データに基づいて第１面印刷後、用紙の搬送を停止する必要があるか否かを判別する。第１面印刷後、停止が必要であれば、画像データに基づいて停止時間を設定して、用紙の搬送を停止して、用紙を待機させる。用紙を待機させる理由は、用紙に付着したインクを乾燥させ、用紙のカールを緩和するためである。設定した停止時間が経過した後、用紙の第２面に印刷を行う。
【先行技術文献】
【特許文献】
【０００３】
【特許文献１】特開２００７−７６２６６号公報
【発明の概要】
【発明が解決しようとする課題】
【０００４】
しかし、用紙（シート）のうち特定の領域に対するインクの吐出率が、他の領域に対するインクの吐出率に比べて高い場合がある。この場合、特定の領域には、他の領域に比べて、強いカールが発生する。つまり、用紙の領域毎に、カールの強さにバラツキが発生する。この場合、カールの強さのバラツキを考慮して、用紙のカールを緩和させないと、他の領域のカールを緩和できたとしても、特定の領域がカールしたままの状態になるおそれがある。その結果、用紙のカールが十分に緩和されず、用紙のカールが効果的に緩和されないおそれがある。【０００５】
本発明は、シートのカールを効果的に緩和することができるインクジェット記録装置を提供することを目的としている。
【課題を解決するための手段】
【０００６】
本発明の一局面によれば、インクジェット記録装置は、画像形成部と、湾曲部と、変更部と、第１算出部と、記憶部と、第２算出部と、制御部とを備える。画像形成部は、複数の領域が設定されたシートにインクを吐出する。湾曲部は、前記シートを湾曲させる。変更部は、前記シートの湾曲量を変更する。第１算出部は、前記シートに吐出される前記インクの吐出量を、前記領域毎に算出する。記憶部は、前記シートの所定領域に対するインクの吐出量に対応する、前記所定領域の第１目標湾曲量を示す湾曲情報を記憶する。第２算出部は、前記第１算出部が前記領域毎に算出した前記インクの吐出量の各々と前記湾曲情報とに基づいて、前記複数の領域の各々の第２目標湾曲量を算出する。制御部は、複数の前記第２目標湾曲量に基づいて、前記変更部を制御する。
【発明の効果】
【０００７】
本発明によれば、シートのカールを効果的に緩和することができる。
【図面の簡単な説明】
【０００８】
【図１】本発明の実施形態に係るインクジェット記録装置の概略構成図である。
【図２】デカーラーを示す図である。
【図３】インクジェット記録装置を示すブロック図である。
【図４】第１領域〜第４領域を示す図である。
【図５】第５領域、及び第６領域を示す図である。
【図６】第７領域、及び第８領域を示す図である。
【図７Ａ】第１湾曲情報を示す図である。
【図７Ｂ】第２湾曲情報を示す図である。
【図８】制御装置の動作を示すフローチャートである。
【図９Ａ】第１領域〜第４領域の各々に対するインクの吐出率を示す図である。
【図９Ｂ】第５領域、及び第６領域の各々に対するインクの吐出率を示す図である。
【図１０】第７領域、及び第８領域の各々に対するインクの吐出率を示す図である。
【図１１】第３湾曲情報を示す図である。
【図１２】第４湾曲情報を示す図である。
【発明を実施するための形態】
【０００９】
本発明の実施形態について、図面を参照しながら説明する。なお、図中、同一又は相当部分については同一の参照符号を付して説明を繰り返さない。
【００１０】
図１を参照して、本発明の実施形態を示すインクジェット記録装置１について説明する。図１は、インクジェット記録装置１の概略構成である。
【００１１】
図１に示すように、インクジェット記録装置１は、搬送装置１０と、デカーラー２０と、カセット３０と、排出トレイ３１と、画像形成部４０とを備える。
【００１２】
搬送装置１０は、給送部１１と、シート案内部１２と、第１ベルト搬送部１３と、第２ベルト搬送部１４と、第１案内部１５と、反転案内部１６と、分岐部１７と、反転部１８と、第２案内部１９とを備える。
【００１３】
カセット３０は、シートＳを収容する。給送部１１は、カセット３０内のシートＳをシート案内部１２に送り出す。シートＳは、例えば、普通紙、厚紙、ＯＨＰシート、封筒、ハガキ、又は送り状である。
【００１４】
シート案内部１２は、シートＳを画像形成部４０へ案内する。具体的には、シート案内部１２は、カセット３０から送り出されたシートＳを、第１ベルト搬送部１３を通じて画像形成部４０へ案内する。
【００１５】
画像形成部４０は、シートＳにインクを吐出し、シートＳに画像を形成する。本実施形態では、画像形成部４０は、シートＳに複数色のインクを吐出する。詳細には、画像形成部４０は、シートＳに４色のインクを吐出する。具体的には、画像形成部４０は、第１ヘッド部４２と、第２ヘッド部４３と、第３ヘッド部４４と、第４ヘッド部４５とを有する。第１ヘッド部４２〜第４ヘッド部４５は、それぞれ、複数のノズルを有する。第１ヘッド部４２に設けられる複数のノズルは、例えば、ブラックのインクを吐出する。第２ヘッド部４３に設けられる複数のノズルは、例えば、シアンのインクを吐出する。第３ヘッド部４４に設けられる複数のノズルは、例えば、マゼンタのインクを吐出する。第４ヘッド部４５に設けられる複数のノズルは、例えば、イエローのインクを吐出する。その結果、シアン、マゼンタ、イエロー、及びブラックのうち、単数色又は複数色のインクがシートＳに付着し、シートＳにインクによるカラー画像、又はモノクロ画像が形成される。
シートＳにインクが付着すると、シートＳがカールする可能性がある。詳細には、シートＳの表面にインクが付着すると、シートＳの端部がシートＳの裏面側に湾曲するようにシートＳがカールする可能性がある。
【００１６】
第２ベルト搬送部１４は、画像形成部４０を通過したシートＳをデカーラー２０に向けて搬送する。デカーラー２０は、第１案内部１５に向けてシートＳを搬送する。第１案内部１５は、デカーラー２０から送出されたシートＳを排出トレイ３１へ案内する。その結果、シートＳが排出トレイ３１へ排出される。
【００１７】
反転案内部１６は、第１案内部１５から分岐する。分岐部１７は反転案内部１６に設けられる。分岐部１７は、第１案内部１５から反転案内部１６に送出されたシートＳを反転部１８に向けて案内する。
【００１８】
反転部１８は反転案内部１６に設けられる。反転部１８は、分岐部１７から送出されたシートＳの進行方向を反転させ、シートＳを分岐部１７に戻す。分岐部１７は、反転部１８から送出されたシートＳを第２案内部１９へ案内する。第２案内部１９は、シートＳを戻り位置１１ａへ案内する。従って、画像形成部４０を通過したシートＳは、第２案内部１９を介して、戻り位置１１ａへ案内される。戻り位置１１ａは、シート案内部１２に設けられる。また、戻り位置１１ａは、画像形成部４０よりもシートＳの搬送方向Ｙの上流に位置する。シートＳの搬送方向Ｙは、画像形成部４０がシートＳに画像を形成するときのシートＳの移動方向を示す。
【００１９】
第２案内部１９により戻り位置１１ａへ案内されたシートＳは、表面と裏面とが反転している。つまり、シートＳは、表面に画像を形成された後、表面と裏面とが反転した状態で、戻り位置１１ａへ案内される。そして、シートＳは、画像形成部４０へ搬送される。そして、シートＳの裏面に、画像形成部４０が画像を形成する。従って、シートＳに対して表面印刷が行われた後、シートＳが第２案内部１９により画像形成部４０へ戻される。そして、シートＳに対して裏面印刷が行われる。その結果、シートＳに対する両面印刷が完了する。
【００２０】
次に、図２を参照して、デカーラー２０（湾曲部）について説明する。図２は、デカーラー２０を示す図である。
【００２１】
図２に示すように、デカーラー２０は、シートＳを湾曲させつつ、シートＳを搬送する。具体的には、デカーラー２０は、第１ローラー２１と、第２ローラー２２と、第３ローラー２３と、第４ローラー２４と、ベルト２５とを有する。第２ローラー２２と、第３ローラー２３と、第４ローラー２４とは、それぞれ、回動自在に支持される。第２ローラー２２と、第３ローラー２３と、第４ローラー２４とは、互いに間隔を空けて配置される。ベルト２５は、無端状のベルトである。ベルト２５は、回転自在に支持される。ベルト２５は、弾性を有する。ベルト２５は、複数のローラー（第２ローラー２２と、第３ローラー２３と、第４ローラー２４）に架けられる。第１ローラー２１は、回転自在に支持される。第１ローラー２１は、ベルト２５に接触する。具体的には、第１ローラー２１は、ベルト２５のうち、第２ローラー２２と第３ローラー２３との間に位置する部分に接触する。第１ローラー２１は、ベルト２５を介して第４ローラー２４と対向する。第１ローラー２１は、第４ローラー２４に近接する第１方向Ｃ１と、第４ローラー２４から離間する第２方向Ｃ２とに移動可能に支持される。
【００２２】
第１ローラー２１と、第２ローラー２２と、第３ローラー２３と、第４ローラー２４とのうち、少なくとも１つは駆動ローラーであり、駆動ローラー以外のローラーは従動ローラーである。ベルト２５は、第１ローラー２１、第２ローラー２２、第３ローラー２３、及び第４ローラー２４と共に回転する。
【００２３】
デカーラー２０は、シートＳを湾曲させる。具体的には、第１ローラー２１とベルト２５とが、シートＳを挟持しつつ回転することで、シートＳを湾曲させる。デカーラー２０は、シートＳがカールする方向と反対の方向にシートＳを湾曲させる。その結果、シートＳのカールを緩和することが可能となる。
また、第１ローラー２１とベルト２５とが、シートＳを挟持しつつ回転することで、シートＳを搬送する。
【００２４】
インクジェット記録装置１は、変更部５０をさらに備える。変更部５０は、第１ローラー２１を第１方向Ｃ１と第２方向Ｃ２とに移動させる。変更部５０は、例えば、モーターを含む。
【００２５】
変更部５０は、シートＳの湾曲量を変更する。具体的には、変更部５０は、デカーラー２０がシートＳを湾曲させるときのシートＳの湾曲量を変更する。本実施形態では、デカーラー２０がシートＳを湾曲させるときとは、第１ローラー２１とベルト２５との間を、シートＳが通過するときを示す。
以下では、デカーラー２０がシートＳを湾曲させるときのシートＳの湾曲量を、シートＳの湾曲量と記載する。
【００２６】
シートＳの湾曲量は、シートＳの湾曲幅Ｐ、及び／又は、シートＳに作用する挟持力によって表される。
【００２７】
シートＳの湾曲幅Ｐは、シートＳのうち、湾曲する領域のサイズを示す。本実施形態では、シートＳの湾曲幅Ｐは、シートＳのうち、第１ローラー２１に接触している領域の回転方向Ｑの寸法を示す。回転方向Ｑは、第１ローラー２１の回転方向を示す。本実施形態では、第１ローラー２１が第１方向Ｃ１に移動する程、シートＳのうち、第１ローラー２１に接触している領域が大きくなる。その結果、第１ローラー２１が第１方向Ｃ１に移動する程、シートＳの湾曲幅Ｐが大きくなる。
【００２８】
シートＳに作用する挟持力は、シートＳの表面側と裏面側とからシートＳを挟むとき、シートＳに対しシートＳを挟む方向に作用する圧力を示す。本実施形態では、第１ローラー２１が第１方向Ｃ１に移動する程、ベルト２５が弾性変形して伸長する。その結果、第１ローラー２１が第１方向Ｃ１に移動する程、ベルト２５の復元力が増大し、シートＳに作用する挟持力が大きくなる。
【００２９】
変更部５０が、第１ローラー２１を第１方向Ｃ１に移動させると、シートＳの湾曲幅Ｐが大きくなると共に、シートＳに作用する挟持力が大きくなる。その結果、シートＳの湾曲量が大きくなる。
シートＳの湾曲量が大きくなると、シートＳの強いカールを効果的に緩和することが可能となる。
【００３０】
変更部５０が、第１ローラー２１を第２方向Ｃ２に移動させると、シートＳの湾曲幅Ｐが小さくなると共に、シートＳに作用する挟持力が小さくなる。その結果、シートＳの湾曲量が小さくなる。
シートＳの湾曲量が小さくなると、シートＳの弱いカールを効果的に緩和することが可能となる。理由は、以下の通りである。すなわち、シートＳが弱いカールを有する場合、デカーラー２０によるシートＳの湾曲量が大きいと、シートＳが湾曲し過ぎて、湾曲した方向にカールするおそれがある。従って、シートＳの湾曲量を小さくすることで、シートＳが湾曲し過ぎることを抑制しつつ、シートＳを適度に湾曲させ、シートＳのカールを緩和できるからである。
【００３１】
シートＳの湾曲量は、複数の段階に変更可能である。本実施形態では、シートＳの湾曲量は、第１段階から第６段階までの６段階に変更可能である。段階の数が大きくなる程、シートＳの湾曲量が大きくなる。本実施形態では、変更部５０が、第１ローラー２１を第１方向Ｃ１、又は第２方向Ｃ２に移動させ、第１ローラー２１の位置を変更することで、シートＳの湾曲量を第１段階から第６段階のうち、いずれかに変更する。
【００３２】
第１位置Ｒ１〜第６位置Ｒ６は、第１ローラー２１の位置を示す。詳細には、第１位置Ｒ１〜第６位置Ｒ６は、第１ローラー２１の中心の位置を示す。第１ローラー２１が第ｍ位置Ｒｍに位置するとき、シートＳの湾曲量が第ｍ段階になる。ｍは、１以上６以下の整数である。従って、変更部５０は、第１ローラー２１の位置を第ｍ位置Ｒｍ位置に移動させることで、シートＳの湾曲量を第ｍ段階に変更する。
【００３３】
例えば、変更部５０をモーターで構成する場合、モーターの回転角度を調整することで、第１位置Ｒ１〜第６位置Ｒ６のうち、所望の位置で第１ローラー２１が停止する。
【００３４】
以上、図２を参照して説明したように、変更部５０は、デカーラー２０がシートＳを湾曲させるときのシートＳの湾曲量を変更する。具体的には、変更部５０は、第１ローラー２１を第１方向Ｃ１、又は第２方向Ｃ２に移動させることで、シートＳの湾曲量を変更する。従って、シートＳのカールの強さに応じて、シートＳの湾曲量を変更することができる。その結果、シートＳのカールを効果的に緩和することが可能となる。
【００３５】
なお、本実施形態では、変更部５０は、シートＳの湾曲幅Ｐ、及びシートＳに作用する挟持力を変更し、シートＳの湾曲量を変更する。しかし、本発明はこれに限定されない。変更部５０は、シートＳの湾曲幅Ｐ、及び／又は、シートＳに作用する挟持力を変更し、シートＳの湾曲量を変更すればよい。
【００３６】
次に、図３を参照して、インクジェット記録装置１についてさらに説明する。図３は、インクジェット記録装置１を示すブロック図である。
【００３７】
図３に示すように、インクジェット記録装置１は、入力部５１と、記憶部６０と、制御装置７０とをさらに備える。
【００３８】
入力部５１は、インクジェット記録装置１に対するユーザーからの指示を受け付ける。入力部５１は、例えば、タッチパネル、及び／又は、操作キー群で構成される。入力部５１は、例えば、インクジェット記録装置１の筐体に配置される。
【００３９】
記憶部６０は、記憶装置を含む。記憶装置は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。主記憶装置、及び／又は、補助記憶装置は、制御装置７０によって実行される種々のコンピュータープログラムを記憶する。
【００４０】
記憶部６０は、シート情報６１と、第１湾曲情報６２と、第２湾曲情報６３とを記憶する。
【００４１】
制御装置７０は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御装置７０は、インクジェット記録装置１の各要素を制御する。具体的には、プロセッサーは、記憶装置に記憶されたコンピュータープログラムを実行することにより、搬送装置１０と、デカーラー２０と、画像形成部４０と、変更部５０と、入力部５１と、記憶部６０とを制御する。
【００４２】
制御装置７０は、取得部７１と、第１算出部７２と、第２算出部７３と、決定部７４と、制御部７５とを有する。具体的には、プロセッサーが、記憶装置に記憶されたコンピュータープログラムを実行することにより、取得部７１と、第１算出部７２と、第２算出部７３と、決定部７４と、制御部７５として機能する。
【００４３】
次に、及び図４〜図６を参照して、シート情報６１について説明する。図４〜図６は、シート情報６１を示す概念図である。
【００４４】
図４に示すように、シート情報６１は、シートＳに対して設定された複数の領域Ｖを示す情報である。複数の領域Ｖは、予め設定される。複数の領域Ｖは、第１領域Ｖ１と、第２領域Ｖ２と、第３領域Ｖ３と、第４領域Ｖ４とを含む。
【００４５】
第１領域Ｖ１は、シートＳのうち画像形成可能領域Ｖ９に設定される。画像形成可能領域Ｖ９は、シートＳのうち画像形成部４０がインクを吐出可能な領域である。つまり、画像形成部４０は、シートＳのうち、画像形成可能領域Ｖ９の領域内にインクを吐出するように予め設定される。画像形成可能領域Ｖ９の境界は、略矩形状であり、搬送方向Ｙに対して平行な一対の境界と、搬送方向Ｙに対して垂直な一対の境界とを有する。画像形成可能領域Ｖ９は、複数の隅部を有する。具体的には、画像形成可能領域Ｖ９は、４つの隅部を有する。
【００４６】
第１領域Ｖ１は、画像形成可能領域Ｖ９の複数の隅部のうち、搬送方向Ｙの最上流に位置すると共に、シートＳの幅方向Ｘの一側に位置する領域を示す。シートＳの幅方向Ｘは、搬送方向Ｙに対し垂直な方向を示す。
【００４７】
第２領域Ｖ２は、画像形成可能領域Ｖ９の複数の隅部のうち、搬送方向Ｙの最上流に位置すると共に、幅方向Ｘの他側に位置する領域を示す。第３領域Ｖ３は、画像形成可能領域Ｖ９の複数の隅部のうち、搬送方向Ｙの最下流に位置すると共に、幅方向Ｘの一側に位置する領域を示す。第４領域Ｖ４は、画像形成可能領域Ｖ９の複数の隅部のうち、搬送方向Ｙの最下流に位置すると共に、幅方向Ｘの他側に位置する領域を示す。
【００４８】
図５に示すように、複数の領域Ｖは、第５領域Ｖ５と、第６領域Ｖ６とをさらに含む。第５領域Ｖ５は、画像形成可能領域Ｖ９のうち、搬送方向Ｙの最上流の縁部に沿った領域を示す。第５領域Ｖ５は、画像形成可能領域Ｖ９のうち、幅方向Ｘの一側の端部から他側の端部に亘って設定される。従って、第５領域Ｖ５の一部は、第１領域Ｖ１、及び第２領域Ｖ２とそれぞれ重複する。第６領域Ｖ６は、画像形成可能領域Ｖ９のうち、搬送方向Ｙの最下流の縁部に沿った領域を示す。第６領域Ｖ６は、画像形成可能領域Ｖ９のうち、幅方向Ｘの一側の端部から他側の端部に亘って設定される。従って、第６領域Ｖ６の一部は、第３領域Ｖ３、及び第４領域Ｖ４とそれぞれ重複する。
【００４９】
図６に示すように、複数の領域Ｖは、第７領域Ｖ７と、第８領域Ｖ８とをさらに含む。第７領域Ｖ７は、画像形成可能領域Ｖ９のうち、幅方向Ｘの一側の縁部に沿った領域を示す。第７領域Ｖ７は、画像形成可能領域Ｖ９のうち、搬送方向Ｙの上流の端部から下流の端部に亘って設定される。従って、第７領域Ｖ７の一部は、第１領域Ｖ１、及び第３領域Ｖ３とそれぞれ重複する。第８領域Ｖ８は、画像形成可能領域Ｖ９のうち、幅方向Ｘの他側の縁部に沿った領域を示す。第８領域Ｖ８は、画像形成可能領域Ｖ９のうち、搬送方向Ｙの上流の端部から下流の端部に亘って設定される。従って、第８領域Ｖ８の一部は、第２領域Ｖ２、及び第４領域Ｖ４とそれぞれ重複する。
【００５０】
以上、図４〜図６を参照して説明したように、第１領域Ｖ１〜第８領域Ｖ８は、画像形成可能領域Ｖ９の縁部に位置する。一般に、画像形成可能領域Ｖ９の縁部は、画像形成可能領域Ｖ９の中央部に比べて、インクが付着するとカールしやすい。従って、画像形成可能領域Ｖ９の縁部に位置する第１領域Ｖ１〜第８領域Ｖ８は、カールしやすい。
第１領域Ｖ１〜第８領域Ｖ８がカールしやすいことを反映して、第１領域Ｖ１〜第８領域Ｖ８が複数の領域Ｖに含まれる。
【００５１】
また、第１領域Ｖ１〜第４領域Ｖ４は、画像形成可能領域Ｖ９の隅部に位置し、第５領域Ｖ５〜第８領域Ｖ８のうちいずれかの一部と重複する。一般に、画像形成可能領域Ｖ９の縁部にインクが付着すると、画像形成可能領域Ｖ９の縁部うち、隅部が他の部分に比べてカールしやすい。従って、画像形成可能領域Ｖ９の隅部に位置する第１領域Ｖ１〜第４領域Ｖ４は、第５領域Ｖ５〜第８領域Ｖ８に比べてカールしやすい。
第１領域Ｖ１〜第４領域Ｖ４がカールしやすいことを反映して、第１領域Ｖ１〜第４領域Ｖ４が複数の領域Ｖに含まれる。
【００５２】
次に、図７Ａを参照して、第１湾曲情報６２（湾曲情報）について説明する。図７Ａは、第１湾曲情報６２を示す概念図である。
【００５３】
図７Ａに示すように、第１湾曲情報６２は、「普通紙」に対して設定される。第１湾曲情報６２は、シートＳの所定領域に対するインクの吐出率αに対応する、所定領域の第１目標湾曲量βを示す。所定領域とは、複数の領域Ｖを、第１領域Ｖ１〜第Ｍ領域ＶＭで構成した場合の、第ｎ領域Ｖｎを示す。Ｍは、２以上の整数である。本実施形態では、Ｍ＝８である。ｎは、１以上Ｍ以下の整数である。つまり、ｎは、変数であり、１以上Ｍ以下の整数の各々を示す。
【００５４】
インクの吐出率αは、具体的には、画像形成部４０から吐出されるインクの吐出率αである。本実施形態では、インクの吐出率αを、百分率で表す。所定領域に対するインクの吐出率αは、所定領域の面積に対する、インク面積の比率である。インク面積は、画像形成部４０から吐出される複数色のインクの各々がシートＳの所定領域中で占める面積の合計である。本実施形態では、画像形成部４０は、４色のインクを吐出する。従って、所定領域に対するインクの吐出率αの最小値は０％であり、最大値は４００％である。つまり、４色のインクの各々が、所定領域に付着していない場合、所定領域に対するインクの吐出率αが０％になる。また、４色のインクのうち、１色が所定領域の全域に付着すると共に、４色のインクのうち、他の３色が所定領域に付着していない場合、所定領域に対するインクの吐出率αが１００％になる。また、４色のインクの各々が、所定領域の全域に付着した場合、所定領域に対するインクの吐出率αが４００％になる。なお、本実施形態では、所定領域は、第１領域Ｖ１〜第８領域Ｖ８の各々である。
所定領域に対するインクの吐出率αは、所定領域に吐出されたインクの量を、所定領域の面積に対する、インク面積の比率で表している。従って、所定領域に対するインクの吐出率αは、所定領域に対するインクの吐出量の一例である。つまり、第１湾曲情報６２は、所定領域に対するインクの吐出量に対応する、所定領域の第１目標湾曲量βを示す。
【００５５】
所定領域の第１目標湾曲量βは、シートＳのカールを緩和するのに適したシートＳの湾曲量である。所定領域の第１目標湾曲量βは、例えば、試験によって求められる。
【００５６】
所定領域の第１目標湾曲量βは、第１段階から第６段階のうち、いずれかに設定される。
【００５７】
一般に、所定領域に対するインクの吐出率αが高い程、所定領域に強いカールが発生する。従って、所定領域に対するインクの吐出率αが高い程、所定領域の第１目標湾曲量βが大きくなる。つまり、所定領域に対するインクの吐出率αが高い程、所定領域の第１目標湾曲量βを示す段階の数が大きくなる。
【００５８】
所定領域の第１目標湾曲量βは、所定領域に対するインクの吐出率αに対応して設定される。本実施形態では、（ａ）所定領域に対するインクの吐出率αが０％以上５０％未満のときの、所定領域の第１目標湾曲量βと、（ｂ）所定領域に対するインクの吐出率αが５０％以上８０％未満のときの、所定領域の第１目標湾曲量βと、（ｃ）所定領域に対するインクの吐出率αが８０％以上４００％未満のときの、所定領域の第１目標湾曲量βとが設定される。
【００５９】
また、本実施形態では、第１湾曲情報６２は、シートＳの坪量γの所定範囲毎に、所定領域に対するインクの吐出率αに対応する、所定領域の第１目標湾曲量βを示す。所定範囲は、予め設定される。一般に、シートＳの坪量γが小さい程、所定領域がカールしやすくなる。従って、シートＳの坪量γが小さい程、所定領域の第１目標湾曲量βが大きくなる。つまり、シートＳの坪量γが小さい程、所定領域の第１目標湾曲量βを示す段階の数が大きくなる。
【００６０】
次に、図７Ｂを参照して、第２湾曲情報６３（湾曲情報）について説明する。図７Ｂは、第２湾曲情報６３を示す概念図である。
【００６１】
第２湾曲情報６３は、「インクジェット紙」に対して設定される点で、「普通紙」に対して設定される第１湾曲情報６２と異なる。
【００６２】
第２湾曲情報６３には、第１湾曲情報６２と同様の種類の情報が設定される。具体的には、第２湾曲情報６３は、所定領域に対するインクの吐出率α（インクの吐出量）に対応する、所定領域の第１目標湾曲量βを示す。所定領域の第１目標湾曲量βは、所定領域に対するインクの吐出率αに対応して設定される。また、本実施形態では、第２湾曲情報６３は、シートＳの坪量γの所定範囲毎に、所定領域に対するインクの吐出率αに対応する、所定領域の第１目標湾曲量βを示す。
【００６３】
第２湾曲情報６３において、所定領域の第１目標湾曲量βは、インクジェット紙の性質に合わせて設定される。これに対し、第１湾曲情報６２において、所定領域の第１目標湾曲量βは、普通紙の性質に合わせて設定される。従って、第２湾曲情報６３の第１目標湾曲量βの大きさと、第１湾曲情報６２の第１目標湾曲量βの大きさとは、同等のインクの吐出率α、及びシートＳの坪量γで比較した場合、異なる場合がある。
【００６４】
以上、図７Ａ及び図７Ｂを参照して説明したように、第１湾曲情報６２と第２湾曲情報６３との各々は、シートＳの坪量γを反映して第１目標湾曲量βを設定する。その結果、第１目標湾曲量βを精度よく設定することが可能となる。
【００６５】
なお、第１湾曲情報６２と第２湾曲情報６３との各々は、シートＳの坪量γを反映せず、シートＳの坪量γとは無関係に第１目標湾曲量βを設定してもよい。つまり、第１湾曲情報６２と第２湾曲情報６３との各々において、第１目標湾曲量βを設定する際、シートＳの坪量γで場合分けをしなくてもよい。その結果、第１湾曲情報６２と第２湾曲情報６３との各々の情報量を減らし、第１湾曲情報６２と第２湾曲情報６３との各々が使用する記憶部６０の容量を減らすことが可能となる。
【００６６】
以下、第１湾曲情報６２と第２湾曲情報６３とを総称して湾曲情報と記載する場合がある。湾曲情報は、シートＳの種類毎に設けられる。本実施形態では、普通紙に対する湾曲情報として、第１湾曲情報６２が設けられる。インクジェット紙に対する湾曲情報として、第２湾曲情報６３が設けられる。つまり、本実施形態では、シートＳの種類に合わせて、２種類の湾曲情報が設けられる。その結果、シートＳの種類を反映して、第１目標湾曲量βを精度よく設定することが可能となる。
【００６７】
なお、第１湾曲情報６２と第２湾曲情報６３とを一つにまとめて、１種類の湾曲情報で構成してもよい。つまり、湾曲情報をシートＳの種類毎に設けず、湾曲情報にシートＳの種類を反映させない。その結果、湾曲情報の情報量を減らし、湾曲情報が使用する記憶部６０の容量を減らすことが可能となる。
【００６８】
次に、図７Ａ、図８、図９Ａ、図９Ｂ、及び図１０を参照して、制御装置７０の動作について説明する。図８は、制御装置７０の動作を示すフローチャートである。
【００６９】
図８に示すように、ステップＳ１０において、入力部５１は、インクジェット記録装置１に対するユーザーからジョブの指示を受け付ける。本実施形態では、ジョブの指示の１つは、シートＳに画像を形成する旨の指示である。また、ジョブの指示の１つは、シートＳの種類を指定する旨の指示である。また、ジョブの指示の１つは、シートＳの坪量γを指定する旨の指示である。また、ジョブの指示の１つは、シートＳに対して両面印刷を行う旨の指示である。本実施形態では、シートＳの種類として、普通紙が指定される。また、本実施形態では、シートＳの坪量γとして、７０ｇ／ｍ2が指定される。
【００７０】
ステップＳ２０において、取得部７１は、画像データを取得する。画像データは、画像形成部４０がシートＳに形成する画像を表すデータである。取得部７１は、例えば、外部のコンピューターから無線又は有線で画像データを取得する。
【００７１】
図９Ａ、図９Ｂ、及び図１０は、所定領域に対するインクの吐出率αを示す図であり、複数の領域Ｖの各々に対するインクの吐出率αを示している。
【００７２】
図８、図９Ａ、図９Ｂ、及び図１０に示すように、ステップＳ３０において、第１算出部７２は、取得部７１から画像データを取得する。そして、第１算出部７２は、画像データに基づいて、シートＳに対するインクの吐出率α（インクの吐出量）を、領域毎に算出する。本実施形態では、第１算出部７２は、インクの吐出率αを、第１領域Ｖ１〜第８領域Ｖ８の領域毎に算出する。
本実施形態では、第１領域Ｖ１に対するインクの吐出率αは、１２０％である。
第２領域Ｖ２に対するインクの吐出率αは、８０％である。
第３領域Ｖ３に対するインクの吐出率αは、２００％である。
第４領域Ｖ４に対するインクの吐出率αは、４０％である。
第５領域Ｖ５に対するインクの吐出率αは、２０％である。
第６領域Ｖ６に対するインクの吐出率αは、７５％である。
第７領域Ｖ７に対するインクの吐出率αは、５０％である。
第８領域Ｖ８に対するインクの吐出率αは、１０％である。
【００７３】
図７Ａ、図８、図９Ａ、図９Ｂ、及び図１０に示すように、ステップＳ４０において、第２算出部７３は、第１算出部７２が領域毎に算出したインクの吐出率α（インクの吐出量）と、第１湾曲情報６２とに基づいて、複数の領域Ｖの各々の第２目標湾曲量を算出する。
本実施形態では、ステップＳ１０において、入力部５１に入力されたシートＳの種類は普通紙であり、シートＳの坪量γは７０ｇ／ｍ2である。従って、第２算出部７３は、図７Ａに示す第１湾曲情報６２の欄β１に基づいて、複数の領域Ｖの各々の第２目標湾曲量を算出する。
第１領域Ｖ１に対するインクの吐出率αは、１２０％である。従って、第２算出部７３は、第１領域Ｖ１の第２目標湾曲量として、第６段階を算出する。
第２領域Ｖ２に対するインクの吐出率αは、８０％である。従って、第２算出部７３は、第２領域Ｖ２の第２目標湾曲量として、第６段階を算出する。
第３領域Ｖ３に対するインクの吐出率αは、２００％である。従って、第２算出部７３は、第３領域Ｖ３の第２目標湾曲量として、第６段階を算出する。
第４領域Ｖ４に対するインクの吐出率αは、４０％である。従って、第２算出部７３は、第４領域Ｖ４の第２目標湾曲量として、第２段階を算出する。
第５領域Ｖ５に対するインクの吐出率αは、２０％である。従って、第２算出部７３は、第５領域Ｖ５の第２目標湾曲量として、第２段階を算出する。
第６領域Ｖ６に対するインクの吐出率αは、７５％である。従って、第２算出部７３は、第６領域Ｖ６の第２目標湾曲量として、第４段階を算出する。
第７領域Ｖ７に対するインクの吐出率αは、５０％である。従って、第２算出部７３は、第７領域Ｖ７の第２目標湾曲量として、第４段階を算出する。
第８領域Ｖ８に対するインクの吐出率αは、１０％である。従って、第２算出部７３は、第８領域Ｖ８の第２目標湾曲量として、第２段階を算出する。
【００７４】
ステップＳ５０において、決定部７４は、複数の第２目標湾曲量に基づいて、シートＳの第３目標湾曲量を決定する。複数の第２目標湾曲量は、第１算出部７２が領域毎に算出した第２目標湾曲量のうち全てを示す。従って、本実施形態では、複数の第２目標湾曲量は、第１領域Ｖ１の第２目標湾曲量〜第８領域Ｖ８の第２目標湾曲量を示す。決定部７４は、複数の第２目標湾曲量のうち、最大の第２目標湾曲量をシートＳの第３目標湾曲量として決定する。本実施形態では、最大の第２目標湾曲量は、第１領域Ｖ１の第２目標湾曲量を示す第６段階と、第２領域Ｖ２の第２目標量を示す第６段階と、第３領域Ｖ３の第２目標湾曲量示す第６段階とである。従って、決定部７４は、シートＳの第３目標湾曲量を、第６段階に決定する。
【００７５】
ステップＳ６０において、制御部７５は、複数の第２目標湾曲量に基づいて、変更部５０を制御する。詳細には、デカーラー２０がシートＳを第３目標湾曲量で湾曲させるように、制御部７５が変更部５０を制御する。本実施形態では、シートＳの湾曲量が第６段階になるように、制御部７５が変更部５０を制御する。つまり、変更部５０が第１ローラー２１を第６位置Ｒ６（図２）に移動させるように、制御部７５が変更部５０を制御する。
【００７６】
ステップＳ７０において、画像形成部４０がシートＳに画像を形成するように、制御部７５が画像形成部４０を制御する。詳細には、制御部７５が、搬送装置１０を制御する。その結果、カセット３０内のシートＳが、画像形成部４０まで搬送される。そして、制御部７５が、画像形成部４０を制御する。その結果、画像形成部４０が、シートＳにインクを吐出して、シートＳに画像を形成する。
【００７７】
ステップＳ８０において、制御部７５は、搬送装置１０を制御する。その結果、シートＳが第２ベルト搬送部１４を通過する。そして、制御部７５は、デカーラー２０を制御する。その結果、シートＳが、デカーラー２０を通過する。シートＳがデカーラー２０を通過する際、デカーラー２０がシートＳを第３目標湾曲量で湾曲させる。詳細には、シートＳがカールする方向と反対の方向に向けて第３目標湾曲量で、デカーラー２０がシートＳを湾曲させる。本実施形態では、第３目標湾曲量が第６段階である。その結果、シートＳがデカーラー２０を通過する際、デカーラー２０がシートＳを第６段階で湾曲させる。
【００７８】
ステップＳ９０において、デカーラー２０を通過したシートＳを第２案内部１９が戻り位置１１ａ（図１）に案内するように、制御部７５が第２案内部１９を制御する。その結果、シートＳが、戻り位置１１ａに搬送される。
【００７９】
ステップＳ１００において、制御部７５が画像形成部４０を制御する。その結果、画像形成部４０が、シートＳの裏面に画像を形成し、シートＳに対して裏面印刷を行う。シートＳの裏面は、シートＳのうち、ステップＳ７０で画像を形成された面に対する反対側の面である。裏面印刷が行われた後、シートＳは排出トレイ３１へ排出される。
【００８０】
以上、図７Ａ、図８、図９Ａ、図９Ｂ、及び図１０を参照して説明したように、制御部７５は、複数の第２目標湾曲量に基づいて、変更部５０を制御する。従って、シートＳの領域毎のカールの強さのバラツキを反映した湾曲量で、シートＳがカールする方向と反対の方向に湾曲するように、変更部５０がシートＳの湾曲量を変更することができる。その結果、シートＳのカールを効果的に緩和することが可能となる。
また、決定部７４は、複数の第２目標湾曲量に基づいて、シートＳの第３目標湾曲量を決定する。そして、デカーラー２０がシートＳを第３目標湾曲量で湾曲させるように、制御部７５が変更部５０を制御する。従って、決定部７４が、複数の領域Ｖの各々のカールの強さ（インクの吐出率α）を反映して、第３湾曲量を決定することが可能となる。その結果、デカーラー２０が、シートＳの領域毎のカールの強さのバラツキを反映した湾曲量でシートＳを湾曲させることができ、シートＳのカールを効果的に緩和することが可能となる。
【００８１】
また、所定領域の第１目標湾曲量βは、第１段階から第６段階のうち、いずれかに設定される。従って、シートＳのカールの強さに応じて、デカーラー２０がシートＳを段階的に湾曲させ、シートＳのカールを効果的に緩和することが可能となる。
【００８２】
また、デカーラー２０は、シートＳを湾曲させつつ、シートＳを搬送方向Ｙに搬送する。従って、デカーラー２０は、シートＳを停止させることなく、シートＳを湾曲させて、シートＳのカールを緩和する。その結果、シートＳのカールを緩和する処理を円滑に行うことが可能となる。
【００８３】
また、決定部７４は、複数の第２目標湾曲量のうち、最大の第２目標湾曲量をシートＳの第３目標湾曲量として決定する。従って、デカーラー２０は、シートＳのうち最もカールが強い領域のカールを緩和できる湾曲量で、シートＳを湾曲させる。その結果、シートＳにカールが残ることを抑制でき、シートＳのカールを効果的に緩和することが可能となる。
【００８４】
以上、図面（図１〜図１０）を参照しながら本発明の実施形態について説明した。但し、本発明は、上記の実施形態に限られるものではなく、その要旨を逸脱しない範囲で種々の態様において実施することが可能である（例えば、（１）〜（６））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００８５】
（１）本実施形態では、複数の領域Ｖを第１領域Ｖ１〜第８領域Ｖ８で構成する。しかし、本発明はこれに限定されない。複数の領域Ｖを、第１領域Ｖ１と、第２領域Ｖ２と、第５領域Ｖ５とで構成してもよい。具体的には、シートＳに対する両面印刷のうち表面印刷を行う場合、複数の領域Ｖを、第１領域Ｖ１と、第２領域Ｖ２と、第５領域Ｖ５とで構成する。理由は、以下に示す。シートＳに対する表面印刷時と裏面印刷時とでは、シートＳの搬送方向Ｙの向きが反転し、表面印刷時にシートＳの後部に位置していた第１領域Ｖ１、第２領域Ｖ２、及び第５領域Ｖ５が、裏面印刷時には、シートＳの先頭部に位置する。従って、シートＳに対して裏面印刷を行う際、シートＳの先頭部（第１領域Ｖ１、第２領域Ｖ２、及び第５領域Ｖ５）がカールすると、シートＳの先頭部が画像形成部４０に接触し、シートＳの円滑な進行が阻害されるおそれがある。その結果、シートＳの円滑な進行を確保するために、第１領域Ｖ１と、第２領域Ｖ２と、第５領域Ｖ５とのカールを緩和することを優先し、複数の領域Ｖを、第１領域Ｖ１と、第２領域Ｖ２と、第５領域Ｖ５とで構成する。
【００８６】
シートＳに対する両面印刷のうち表面印刷を行う場合、第１算出部７２は、第１領域Ｖ１と、第２領域Ｖ２と、第５領域Ｖ５との各々の第２目標湾曲量を算出し、第３領域Ｖ３と、第４領域Ｖ４と、第６領域Ｖ６〜第８領域Ｖ８の各々については第２目標湾曲量を算出しない。その結果、シートＳに対する両面印刷のうち表面印刷を行う場合、第１算出部７２の演算負荷を軽減することが可能となる。
【００８７】
本実施形態では、例えば、図８に示すステップＳ１０において、シートＳに対して両面印刷を行う旨の指示を入力部５１が受け付けた場合、ステップＳ４０において、第１算出部７２は、第１領域Ｖ１と、第２領域Ｖ２と、第５領域Ｖ５との各々の第２目標湾曲量を算出する。
【００８８】
（２）シートＳに対する両面印刷のうち裏面印刷を行う場合、複数の領域Ｖを、第３領域Ｖ３と、第４領域Ｖ４と、第６領域Ｖ６とで構成してもよい。理由は、シートＳに対して裏面印刷が行われた後、シートＳは反転することなく搬送されて、排出されるからである。
【００８９】
（３）本実施形態では、複数の領域Ｖを第１領域Ｖ１〜第８領域Ｖ８で構成する。しかし、本発明はこれに限定されない。複数の領域Ｖを、第１領域Ｖ１〜第４領域Ｖ４と、第５領域Ｖ５と、第６領域Ｖ６とで構成してもよい。具体的には、横目のシートＳに画像を形成する場合、複数の領域Ｖを、第１領域Ｖ１〜第４領域Ｖ４と、第５領域Ｖ５と、第６領域Ｖ６とで構成する。理由は、一般に、横目のシートＳに画像を形成する場合、シートＳの画像形成可能領域Ｖ９のうち、第１領域Ｖ１〜第４領域Ｖ４と、第５領域Ｖ５と、第６領域Ｖ６とがカールしやすいからである。
【００９０】
横目のシートＳに画像を形成する場合、第１算出部７２は、第１領域Ｖ１〜第４領域Ｖ４と、第５領域Ｖ５と、第６領域Ｖ６との各々の第２目標湾曲量を算出し、第７領域Ｖ７と第８領域Ｖ８との各々については第２目標湾曲量を算出しない。つまり、横目のシートＳに画像を形成する場合、第１算出部７２は、横目のシートＳのうち、カールしやすい領域（第１領域Ｖ１〜第４領域Ｖ４と、第５領域Ｖ５と、第６領域Ｖ６）の第２目標湾曲量を算出し、カールしにくい領域（第７領域Ｖ７と第８領域Ｖ８）の第２目標湾曲量を算出しない。その結果、横目のシートＳに画像を形成する場合、第１算出部７２の演算負荷を軽減することが可能となる。
【００９１】
本実施形態では、例えば、図８に示すステップＳ１０において、横目のシートＳに画像を形成する旨の指示を入力部５１が受け付けた場合、ステップＳ４０において、第１算出部７２は、第１領域Ｖ１〜第４領域Ｖ４と、第５領域Ｖ５と、第６領域Ｖ６との各々の第２目標湾曲量を算出する。
【００９２】
（４）本実施形態では、複数の領域Ｖを第１領域Ｖ１〜第８領域Ｖ８で構成する。しかし、本発明はこれに限定されない。複数の領域Ｖを、第１領域Ｖ１〜第４領域Ｖ４と、第７領域Ｖ７と、第８領域Ｖ８とで構成してもよい。具体的には、縦目のシートＳに画像を形成する場合、複数の領域Ｖを、第１領域Ｖ１〜第４領域Ｖ４と、第７領域Ｖ７と、第８領域Ｖ８とで構成する。理由は、一般に、縦目のシートＳに画像を形成する場合、シートＳの画像形成可能領域Ｖ９のうち、第１領域Ｖ１〜第４領域Ｖ４と、第７領域Ｖ７と、第８領域Ｖ８とがカールしやすいからである。
【００９３】
縦目のシートＳに画像を形成する場合、第１算出部７２は、第１領域Ｖ１〜第４領域Ｖ４と、第７領域Ｖ７と、第８領域Ｖ８との各々の第２目標湾曲量を算出し、第５領域Ｖ５と第６領域Ｖ６との各々については第２目標湾曲量を算出しない。その結果、縦目のシートＳに画像を形成する場合、第１算出部７２の演算負荷を軽減することが可能となる。
【００９４】
本実施形態では、例えば、図８に示すステップＳ１０において、縦目のシートＳに画像を形成する旨の指示を入力部５１が受け付けた場合、ステップＳ４０において、第１算出部７２は、第１領域Ｖ１〜第４領域Ｖ４と、第７領域Ｖ７と、第８領域Ｖ８との各々の第２目標湾曲量を算出する。
【００９５】
（５）本実施形態では、決定部７４は、複数の第２目標湾曲量のうち、最大の第２目標湾曲量をシートＳの第３目標湾曲量として決定する。しかし、本発明はこれに限定されない。決定部７４は、複数の第２目標湾曲量に基づいて、シートＳの第３目標湾曲量を決定すればよい。決定部７４は、例えば、複数の第２目標湾曲量の平均をシートＳの第３目標湾曲量として決定してもよい。この場合、複数の第２目標湾曲量の平均の取り得る値（段階の数）に対応して、第１ローラー２１の位置を設定する。例えば、複数の第２目標湾曲量の平均が第２．５段階になる場合、第２位置Ｒ２と第３位置Ｒ３との中間の位置を、第２．５段階に対応する第１ローラー２１の位置として設定する。
複数の第２目標湾曲量の平均をシートＳの第３目標湾曲量とすることで、強いカールと弱いカールとが混在したシートＳのカールを、平均的に緩和することが可能となる。
【００９６】
（６）本実施形態では、複数の領域Ｖが、第１領域Ｖ１〜第８領域Ｖ８を含む。しかし、本発明はこれに限定されない。複数の領域Ｖが、第１領域Ｖ１〜第８領域Ｖ８と、さらに、第９領域とを含んでいてもよい。第９領域は、画像形成可能領域Ｖ９の全域を示し、画像形成可能領域Ｖ９と同じである。以下では、第９領域を第９領域Ｖ９と記載する。
【００９７】
図１１を参照して、第１湾曲情報６２（図７Ａ）の変形例である第３湾曲情報６４について説明する。図１１は、第３湾曲情報６４を示す概念図である。
第３湾曲情報６４は、第１湾曲情報６２と同様に、普通紙に対して設定された情報である。第３湾曲情報６４は、第１湾曲情報６２と比べ、第９領域Ｖ９に対する第２情報Ｚ２が追加されている点で異なる。
【００９８】
図１１に示すように、第３湾曲情報６４は、複数の領域Ｖが第１領域Ｖ１〜第９領域Ｖ９を含む場合の、所定領域に対するインクの吐出率α（インクの吐出量）に対応する、所定領域の第１目標湾曲量βを示す。第３湾曲情報６４は、第１領域Ｖ１〜第８領域Ｖ８に対する第１情報Ｚ１と、第９領域Ｖ９に対する第２情報Ｚ２との２種類の情報で構成される。第１領域Ｖ１〜第８領域Ｖ８に対する第１情報Ｚ１は、第１湾曲情報６２と同じである。
【００９９】
第９領域Ｖ９に対する第２情報Ｚ２において、（ｄ）所定領域に対するインクの吐出率αが０％以上６０％未満のときの、所定領域の第１目標湾曲量βと、（ｅ）所定領域に対するインクの吐出率αが６０％以上１００％未満のときの、所定領域の第１目標湾曲量βと、（ｆ）所定領域に対するインクの吐出率αが１００％以上４００％未満のときの、所定領域の第１目標湾曲量βとが設定される。
【０１００】
第９領域Ｖ９は、カールしにくい画像形成可能領域Ｖ９の中央部の領域を含む。
これに対し、第１領域Ｖ１〜第８領域Ｖ８は、画像形成可能領域Ｖ９の縁部の領域であり、画像形成可能領域Ｖ９の中央部の領域を含まない。従って、一般に、第１領域Ｖ１〜第８領域Ｖ８は、第９領域Ｖ９に比べてカールしやすい。
その結果、第２情報Ｚ２は、第１情報Ｚ１に比べ、インクの吐出率αの範囲を区切る値が大きい。具体的には、第１情報Ｚ１では、所定領域に対するインクの吐出率αの範囲が、（ａ）０％以上５０％未満、（ｂ）５０％以上８０％未満、及び、（ｃ）８０％以上４００％以下で区切られる。これに対し、第２情報Ｚ２では、所定領域に対するインクの吐出率αの範囲が、（ｄ）０％以上６０％未満、（ｅ）６０％以上１００％未満、及び、（ｆ）１００％以上４００％以下で区切られる。つまり、第２情報Ｚ２のインクの吐出率αの範囲と、第１情報Ｚ１のインクの吐出率αの範囲との違いは、第９領域Ｖ９がカールしにくい画像形成可能領域Ｖ９の中央部の領域を含むことを反映している。
【０１０１】
図１２を参照して、第２湾曲情報６３（図７Ｂ）の変形例である第４湾曲情報６５について説明する。図１２は、第４湾曲情報６５を示す概念図である。
第４湾曲情報６５は、第２湾曲情報６３と同様に、インクジェット紙に対して設定された情報である。第４湾曲情報６５は、第２湾曲情報６３と比べ、第９領域Ｖ９に対する第４情報Ｚ４が追加されている点で異なる。
【０１０２】
図１２に示すように、第４湾曲情報６５は、複数の領域Ｖが第１領域Ｖ１〜第９領域Ｖ９を含む場合の、所定領域に対するインクの吐出率α（インクの吐出量）に対応する、所定領域の第１目標湾曲量βを示す。第４湾曲情報６５は、第１領域Ｖ１〜第８領域Ｖ８に対する第３情報Ｚ３と、第９領域Ｖ９に対する第４情報Ｚ４との２種類の情報で構成される。第１領域Ｖ１〜第８領域Ｖ８に対する第３情報Ｚ３は、第２湾曲情報６３と同じである。
【０１０３】
第４情報Ｚ４には、第２情報Ｚ２と同様の種類の情報が設定される。第４情報Ｚ４において、所定領域の第１目標湾曲量βは、インクジェット紙の性質に合わせて設定される。これに対し、第２情報Ｚ２において、所定領域の第１目標湾曲量βは、普通紙の性質に合わせて設定される。従って、第４情報Ｚ４の第１目標湾曲量βの大きさと、第２情報Ｚ２の第１目標湾曲量βの大きさとは、同等のインクの吐出率α、及びシートＳの坪量γで比較した場合、異なることがある。
【０１０４】
複数の領域Ｖが第９領域Ｖ９を含む場合、ステップＳ３０（図８）において、第１算出部７２は、インクの吐出率αを、第１領域Ｖ１〜第９領域Ｖ９の領域毎に算出する。また、ステップＳ４０において、第２算出部７３は、第１領域Ｖ１〜第９領域Ｖ９の各々の第２目標湾曲量を算出する。また、ステップＳ５０において、決定部７４は、第１領域Ｖ１の第２目標湾曲量〜第９領域Ｖ９の第２目標湾曲量に基づいて、シートＳの第３目標湾曲量を決定する。
【０１０５】
以上、図１１、及び図１２を参照して説明したように、複数の領域Ｖは、第９領域Ｖ９を含む。従って、決定部７４は、第１領域Ｖ１の第２目標湾曲量〜第９領域Ｖ９の第２目標湾曲量に基づいて、シートＳの第３目標湾曲量を決定する。つまり、決定部７４は、画像形成可能領域Ｖ９の縁部のカールのみならず、画像形成可能領域Ｖ９の中央部のカールも反映して、シートＳの第３目標湾曲量を決定する。その結果、デカーラー２０がシートＳのカールをより効果的に緩和することが可能となる。
【産業上の利用可能性】
【０１０６】
本発明は、シートに画像を形成するインクジェット記録装置の分野に利用可能である。
【図１】
0006673530.tif 000002
【図２】
0006673530.tif 000003
【図３】
0006673530.tif 000004
【図４】
0006673530.tif 000005
【図５】
0006673530.tif 000006
【図６】
0006673530.tif 000007
【図７Ａ】
0006673530.tif 000008
【図７Ｂ】
0006673530.tif 000009
【図８】
0006673530.tif 000010
【図９Ａ】
0006673530.tif 000011
【図９Ｂ】
0006673530.tif 000012
【図１０】
0006673530.tif 000013
【図１１】
0006673530.tif 000014
【図１２】
0006673530.tif 000015